(57)【要約】  一実施形態に係る歯ブラシ用バイブレータは、歯ブラシを保持するとともに、前記歯ブラシに振動を印加する振動印加部と、振動印加部に着脱自在に接続されるとともに、ユーザにより把持されるグリップ部と、を備える。
2017208457.tif 000002
【特許請求の範囲】
【請求項１】
歯ブラシを保持するとともに、前記歯ブラシに振動を印加する振動印加部と、
前記振動印加部に着脱自在に接続されるとともに、ユーザにより把持されるグリップ部と、
を備える、歯ブラシ用バイブレータ。
【請求項２】
前記振動印加部は、前記振動印加部のグリップ部側端部に設けられる第１マグネットを有し、
前記グリップ部は、前記グリップ部の振動印加部側端部に設けられる第２マグネットを有し、
前記振動印加部と前記グリップ部は、前記第１マグネットと前記第２マグネットとの引き合う力により着脱自在に接続される、
請求項１に記載の歯ブラシ用バイブレータ。
【請求項３】
前記振動印加部と前記グリップ部とが接続された状態において、前記振動印加部と前記グリップ部は、点接触している、
請求項１又は２に記載の歯ブラシ用バイブレータ。
【請求項４】
前記振動印加部は、前記歯ブラシに印加する振動を生成する振動部を有し、
前記グリップ部は、前記振動部に電力を供給する電力供給部を有し、
前記電力供給部は、前記グリップ部が前記振動印加部に接続された状態で前記振動部に電気的に接続される、
請求項１〜３の何れか一項に記載の歯ブラシ用バイブレータ。
【請求項５】
前記振動印加部のグリップ部側端部には、前記振動部に電気的に接続される第１端子部が設けられており、
前記グリップ部の振動印加部側端部には、前記電力供給部に電気的に接続される第２端子部が設けられており、
前記振動印加部と前記グリップ部とが接続された状態で、前記第１端子部と前記第２端子部が電気的に接触する、
請求項４に記載の歯ブラシ用バイブレータ。
【請求項６】
前記振動印加部及び前記グリップ部の何れか一方は、振動検知部を有し、
前記電力供給部は、前記振動検知部の検知結果に応じて、前記振動部の振動状態を制御する、
請求項４又は５に記載の歯ブラシ用バイブレータ。
【請求項７】
前記グリップ部は、姿勢検知部を有し、
前記電力供給部は、前記姿勢検知部の検知結果に応じて、前記振動部の振動状態を制御する、
請求項４〜６の何れか一項に記載の歯ブラシ用バイブレータ。
【請求項８】
前記振動部は、偏心分銅付きモータである、
請求項４〜７の何れか一項に記載の歯ブラシ用バイブレータ。
【発明の詳細な説明】
【技術分野】
【０００１】
本発明は、歯ブラシ用バイブレータに関する。
【背景技術】
【０００２】
電動歯ブラシの分野において、特許文献１の電動歯ブラシが知られている。特許文献１の電動歯ブラシは、汎用歯ブラシを収容可能とし、歯ブラシに振動を与える歯ブラシ収容部と、歯ブラシ収容部に密着結合されており、モータの駆動により発生した振動を歯ブラシ収容部に伝達する駆動部とを備える。駆動部は、歯ブラシ収容部の上端部（歯ブラシを収容した状態で歯ブラシの毛束側の端部）に設けられた固定部に固定され、歯ブラシ収容部の下端部側に歯ブラシ収容部と平行に設けられている。
【先行技術文献】
【特許文献】
【０００３】
【特許文献１】特開２００６−１２２６６９号公報
【発明の概要】
【発明が解決しようとする課題】
【０００４】
特許文献１に記載の電動歯ブラシでは、駆動部と歯ブラシ収容部とが平行に配置され、かつ、互いに密着結合されている。そのため、電動歯ブラシを使用するユーザは、電動歯ブラシの使用時には、歯ブラシ収容部とともに駆動部も把持する。この場合、歯ブラシ収容部と駆動部がユーザにより握られるので、駆動部のモータで生成された振動は減衰するため効率的に歯ブラシに伝達されない。【０００５】
そこで、本発明は、効率的に振動を歯ブラシに伝達可能な歯ブラシ用バイブレータを提供することを目的とする。
【課題を解決するための手段】
【０００６】
本発明に係る歯ブラシ用バイブレータは、歯ブラシを保持するとともに、上記歯ブラシに振動を印加する振動印加部と、振動印加部に着脱自在に接続されるとともに、ユーザにより把持されるグリップ部と、を備える。【０００７】
上記構成では、振動印加部とグリップ部とは別部品で、着脱自在に接続されている。そのため、グリップ部をユーザが把持しても、ユーザの把持力によって振動印加部の振動が減衰しにくい。その結果、振動印加部の振動を歯ブラシに効率的に伝達できる。【０００８】
上記振動印加部は、上記振動印加部のグリップ部側端部に設けられる第１マグネットを有し、上記グリップ部は、上記グリップ部の振動印加部側端部に設けられる第２マグネットを有し、上記振動印加部と上記グリップ部は、上記第１マグネットと上記第２マグネットとの引き合う力により着脱自在に接続されてもよい。【０００９】
この構成では、振動印加部とグリップ部とは、第１マグネットと第２マグネットとの磁力によって相互に引き合うように接続される。そのため、振動印加部とグリップ部との着脱が容易である。【００１０】
上記振動印加部と上記グリップ部とが接続された状態において、上記振動印加部と上記グリップ部は、点接触していてもよい。この場合、振動印加部がグリップ部に対して揺動しやすいので、振動印加部の振動が減衰しにくい。よって、振動印加部の振動が一層効率的に歯ブラシに伝達される。【００１１】
上記振動印加部は、上記歯ブラシに印加する振動を生成する振動部を有し、上記グリップ部は、上記振動部に電力を供給する電力供給部を有し、上記電力供給部は、上記グリップ部が上記振動印加部に接続された状態で上記振動部に電気的に接続されてもよい。【００１２】
これにより、振動印加部をグリップ部に取り付けた際に、グリップ部が有する電力供給部で、振動印加部が有する振動部を確実に駆動可能である。【００１３】
上記振動印加部のグリップ部側端部には、上記振動部に電気的に接続される第１端子部が設けられており、上記グリップ部の振動印加部側端部には、上記電力供給部に電気的に接続される第２端子部が設けられており、上記振動印加部と上記グリップ部とが接続された状態で、上記第１端子部と上記第２端子部が電気的に接触してもよい。【００１４】
これにより、振動印加部をグリップ部に取り付けた際に、振動部と電力供給部とが電気的に接続され得る。【００１５】
上記振動印加部及び上記グリップ部の何れか一方は、振動検知部を有し、上記電力供給部は、上記振動検知部の検知結果に応じて、上記振動部の振動状態を制御してもよい。この構成では、歯ブラシを歯に当てても（振動を制止するような負荷の変動があっても）、所定範囲内の振動状態を維持しながら歯を磨くことが可能である。【００１６】
上記グリップ部は、姿勢検知部を有し、上記電力供給部は、上記姿勢検知部の検知結果に応じて、上記振動部の振動状態を制御してもよい。【００１７】
これにより、例えば、歯磨き時に歯に対する歯ブラシの当て方（姿勢）に応じて振動状態が制御され得る。そのため、例えば、歯を磨く箇所によって振動状態が変えられる。【００１８】
上記振動部は、偏心分銅付きモータであり得る。
【発明の効果】
【００１９】
本発明によれば、効率的に振動印加部の振動を歯ブラシに伝達可能な歯ブラシ用バイブレータを提供可能である。
【図面の簡単な説明】
【００２０】
【図１】図１は、一実施形態に係る歯ブラシ用バイブレータであって、歯ブラシを保持した状態（使用状態）の歯ブラシ用バイブレータの斜視図である。
【図２】図２は、図１において下側（歯ブラシの正面側）からみた場合の歯ブラシ用バイブレータの斜視図である。
【図３】図３は、図１のＩＩＩ−ＩＩＩ線に沿った断面構成の模式図である。
【図４】図４は、歯ブラシ用バイブレータの電気的な接続関係を説明するための図面である。
【図５】図５は、図１に示した歯ブラシ用バイブレータが有する振動印加部の斜視図である。
【図６】図６は、図１に示した歯ブラシ用バイブレータが有するグリップ部の斜視図である。
【図７】図７は、検証実験に使用した第１デバイスの平面図である。
【図８】図８は、図７のＶＩＩＩ−ＶＩＩＩ線に沿った断面図である。
【図９】図９は、図７に示した第１デバイスの分解斜視図である。
【図１０】図１０は、検証実験に使用した第２デバイスの平面図である。
【図１１】図１１は、図１０のＸＩ―ＸＩ線に沿った断面図である。
【図１２】図１２は、検証実験の実験方法を説明するための図面である。
【図１３】図１３は、第１デバイスを使用し、第１デバイスが有する２つの振動部のうちの一つの振動部を駆動した検証実験１において、第１デバイスの振動に伴う第１デバイスの先端部の変位を計測した場合の実験結果を示す図面である。
【図１４】図１４は、検証実験１において、第１デバイスの振動に伴う第１デバイスの先端部の加速度を計測した場合の実験結果を示す図面である。
【図１５】図１５は、第２デバイスを使用し、第２デバイスが有する２つの振動部のうちの一つの振動部を駆動した検証実験２において、第２デバイスの振動に伴う第２デバイスの先端部の変位を計測した場合の実験結果を示す図面である。
【図１６】図１６は、検証実験２において、第２デバイスの振動に伴う第２デバイスの先端部の加速度を計測した場合の実験結果を示す図面である。
【図１７】図１７は、第１デバイスを使用し、第１デバイスが有する２つの振動部を駆動した検証実験３において、第１デバイスの振動に伴う第１デバイスの先端部の変位を計測した場合の実験結果を示す図面である。
【図１８】図１８は、検証実験３において、第１デバイスの振動に伴う第１デバイスの先端部の加速度を計測した場合の実験結果を示す図面である。
【図１９】図１９は、第２デバイスを使用し、第２デバイスが有する２つの振動部を駆動した検証実験４において、第２デバイスの振動に伴う第２デバイスの先端部の変位を計測した場合の実験結果を示す図面である。
【図２０】図２０は、検証実験４において、第２デバイスの振動に伴う第２デバイスの先端部の加速度を計測した場合の実験結果を示す図面である。
【図２１】図２１は、第２の実施形態に係る歯ブラシ用バイブレータの構成を概略的に示す縦断面図である。
【図２２】図２２は、図２１に示した歯ブラシ用バイブレータが有する振動印加部を、側方から見た場合の図面である。
【図２３】図２３は、図２１に示した歯ブラシ用バイブレータが有する振動印加部を、グリップ部側からみた場合の図面である。
【図２４】図２４は、図２１に示した歯ブラシ用バイブレータが有するグリップ部を、振動印加部側からみた場合の図面である。
【図２５】図２５は、歯ブラシを振動印加部に取り付ける方法を説明するための図面である。
【図２６】図２６は、歯ブラシを振動印加部に取り付ける方法において、図２４に示した工程の後工程を説明するための図面である。
【図２７】図２７は、歯ブラシ用バイブレータの変形例１を説明するための図面である。
【図２８】図２８は、歯ブラシ用バイブレータの変形例２を説明するための図面である。
【発明を実施するための形態】
【００２１】
以下、図面を参照しながら、本発明に係る実施形態を説明する。同一の部分には同一の符号を付して、重複する説明を省略する。各図面における寸法、形状は、実際のものとは必ずしも同一ではない。
【００２２】
図１〜図３に模式的に示した歯ブラシ用バイブレータ（以下、単に「バイブレータ」と称す）１は、歯ブラシ２に振動を与えることによって歯ブラシ２を電動歯ブラシとして機能させる装置である。図１〜図３では、バイブレータ１の使用状態、すなわち、歯ブラシ２がバイブレータ１に装着（収容）された状態を模式的に示している。
【００２３】
説明の便宜のため、以下では、歯ブラシ２の柄２ａの延在方向において、毛束２ｂ側を「前側」と称し、毛束２ｂの反対側を「後側」と称す。歯ブラシ２の柄２ａの厚み方向（毛束２ｂを構成する毛の長さ方向）において、毛束２ｂが設けられている側を「正面側」と称し、反対側を「背面側」と称す。バイブレータ１の説明においても、歯ブラシ２がバイブレータ１に取り付けられた状態に基づいて、上記方向を示す用語を用いる。
【００２４】
バイブレータ１は、歯ブラシ２を保持する歯ブラシ保持体である。バイブレータ１は、歯ブラシ２の柄２ａの延在方向に延びた柱状を呈する。バイブレータ１が保持する歯ブラシ２は、市販の歯ブラシでよい。
【００２５】
バイブレータ１は、振動印加部３と、グリップ部４とを有する。振動印加部３とグリップ部４とは、着脱自在な別部品である。本実施形態において、振動印加部３とグリップ部４との着脱自在な結合には磁力を利用している。バイブレータ１において、振動印加部３は、グリップ部４の前端（図１〜図３において毛束２ｂ側）に取り付けられる。
【００２６】
振動印加部３は、歯ブラシ２を保持するとともに、歯ブラシ２に振動を印加する。グリップ部４は、ユーザに把持される部分である。
【００２７】
図４を参照して、バイブレータ１における電気的な接続関係を中心にして、バイブレータ１の概略を説明する。図４は、振動印加部３がグリップ部４に取り付けられた際のバイブレータ１のブロック図である。
【００２８】
振動印加部３は、歯ブラシ２に与える振動を生成する２つの振動部１０Ａ，１０Ｂを備える。グリップ部４は、振動印加部３に内蔵された振動部１０Ａ，１０Ｂに電力を供給する電力供給部２０を有する。
【００２９】
振動印加部３及びグリップ部４のそれぞれは、振動印加部３をグリップ部４に取り付けた際に、振動部１０Ａ，１０Ｂを電力供給部２０に電気的に接続するための接点端子（第１端子部）Ｔ１ａ、Ｔ１ｂ及び接点端子（第２端子部）Ｔ２ａ，Ｔ２ｂを有する。接点端子Ｔ１ａは、振動部１０Ａに電気的に接続されており、接点端子Ｔ１ｂは、振動部１０Ｂに電気的に接続されている。接点端子Ｔ２ａは、接点端子Ｔ１ａに対応する端子であり、電力供給部２０に電気的に接続されている。接点端子Ｔ２ｂは、接点端子Ｔ１ｂに対応する端子であり、電力供給部２０に電気的に接続されている。
【００３０】
図４では、電気的接続関係を概念的に図示しているため、振動部１０Ａ，１０Ｂのそれぞれに対して一つの接点端子Ｔ１ａ，Ｔ１ｂを図示している。しかしながら、振動部１０Ａ，１０Ｂのそれぞれに対して所望の電力を供給するために、振動印加部３は、振動部１０Ａに対して正負一対の接点端子Ｔ１ａ，Ｔ１ａを有し、振動部１０Ｂに対して正負一対の接点端子Ｔ１ｂ，Ｔ１ｂを有する。よって、グリップ部４も接点端子Ｔ１ａ，Ｔ１ａに対応した接点端子Ｔ２ａ，Ｔ２ａを有し、接点端子Ｔ１ｂ，Ｔ１ｂに対応した接点端子Ｔ２ｂ，Ｔ２ｂを有する。
【００３１】
電力供給部２０は、電源部２１と、スイッチ部２２と、振動制御部２３とを有する。電源部２１は、振動部１０Ａ，１０Ｂに電力を供給する電力源であり、例えば乾電池を有する。電源部２１は、乾電池に代えて充電式電池を有してもよい。
【００３２】
スイッチ部２２は、ユーザからの振動部１０Ａ，１０Ｂの駆動のオン／オフの指示を受け付ける機能を有する。スイッチ部２２は、ユーザからの指示に応じて振動部１０Ａ，１０Ｂの振動状態を複数段（本実施形態では低、中及び高）に切り替える指示を受け付ける機能を有してもよい。本実施形態において、スイッチ部２２は、押ボタン式スイッチであり、押し下げ回数に応じて、振動部１０Ａ，１０Ｂのオン／オフの切り替えとともに、オン状態における振動状態を低、中及び高の３つの段階に順次切り替えられるように構成されている。スイッチ部２２の構成は、振動部１０Ａ，１０Ｂのオン／オフの切り替え指示を受け付けられるようであれば、上記に例示した押下げ式ボタンに限定されない。
【００３３】
振動制御部２３は、電源部２１、スイッチ部２２及び接点端子Ｔ２ａ，Ｔ２ｂに電気的に接続されている。振動制御部２３は、スイッチ部２２で受け付けたユーザからの指示に応じて、振動部１０Ａ，１０Ｂの振動状態を制御する。具体的には、スイッチ部２２で受け付けたユーザからの指示に応じて、振動部１０Ａ，１０Ｂが所望の振動状態となるように、電源部２１から振動部１０Ａ，１０Ｂに供給する電力の大きさを調整した後、接点端子Ｔ２ａ，Ｔ２ｂに所定の駆動信号（所定の電力）を供給する。接点端子Ｔ２ａ，Ｔ２ｂは、振動印加部３がグリップ部４に取り付けられた状態では、接点端子Ｔ１ａ，Ｔ１ｂを介して振動部１０Ａ，１０Ｂに電気的に接続されているため、振動部１０Ａ，１０Ｂは、ユーザの指示に応じた振動状態で振動可能である。第１の実施形態では、振動制御部２３は、振動部１０Ａ，１０Ｂをそれらが同様の振動状態になるように駆動する形態を主に説明するが、振動制御部２３は、振動部１０Ａ，１０Ｂを異なる振動状態で駆動してもよい。すなわち、振動制御部２３は、振動部１０Ａ及び振動部１０Ｂの一方を駆動し、他方を駆動しないように制御してもよい。
【００３４】
グリップ部４は、振動部１０Ａ，１０Ｂの振動状態をユーザに示すための振動状態表示部３０を有し得る。本実施形態において、振動状態表示部３０は、図３に模式的に示したように、３個のＬＥＤ３０ａ，３０ｂ，３０ｃを有する。各ＬＥＤ３０ａ，３０ｂ，３０ｃは、振動制御部２３に電気的に接続されており、振動制御部２３によって発光状態が制御される。例えば、振動部１０Ａ，１０Ｂがオフ状態では、すべてのＬＥＤ３０ａ，３０ｂ，３０ｃが非発光状態に制御され、低振動状態、中振動状態、及び高振動状態のそれぞれで振動部１０Ａ，１０Ｂを振動させる場合は、各振動状態に応じて、３つのＬＥＤ３０ａ，３０ｂ，３０ｃのうちいずれかが点灯状態であるように、制御される。
【００３５】
次に、図１〜図３、図５及び図６を参照して、振動印加部３及びグリップ部４の構成の一例について詳説する。図３では、バイブレータ１における電気的配線の図示は省略している。図５は、グリップ部４側からみた振動印加部３の斜視図であり、図６は、振動印加部３側からみたグリップ部４の斜視図である。
【００３６】
＜振動印加部＞
振動印加部３は、ケース４０と、振動部１０Ａ，１０Ｂと、接点端子Ｔ１ａ，Ｔ１ａ，Ｔ１ｂ，Ｔ１ｂと、第１マグネットＭ１，Ｍ１を有する。
【００３７】
ケース４０は、中空柱状体である。ケース前壁４１（図２及び図３参照）及びケース後壁４２（図３及び図５参照）のそれぞれには、歯ブラシ２の柄２ａを通すための第１開口４３及び第２開口４４が形成されている。ケース前壁４１は、振動印加部３においてグリップ部４との接続側と反対側に位置する壁である。ケース後壁（グリップ部側端部）４２は、振動印加部３においてグリップ部４と接続される側の壁である。ケース４０の材料は、例えばポリカーボネート（ＰＣ）といった樹脂であり、樹脂に限定されず金属でもよい。
【００３８】
第１開口４３及び第２開口４４の形状及び大きさは、柄２ａのうち振動印加部３に挿入される領域（以下「第１被挿入領域」と称す）の形状及び最大の大きさに実質的に一致している。ケース４０内には、柄２ａを挟むように一対の仕切り板５１，５２がケース４０に固定されている。一対の仕切り板５１，５２の固定方法はねじ止めでもよいし、接着剤による固定でもよい。一対の仕切り板５１，５２の材料は、例えばポリカーボネート（ＰＣ）といった樹脂であり、樹脂に限定されず金属でもよい。一対の仕切り板５１，５２の間の距離は、柄２ａのうち、振動印加部３の第１被挿入領域のうち最も厚い部分の厚さに実質的に等しい。よって、第１開口４３、一対の仕切り板５１，５２間及び第２開口４４により、柄２ａの挿通領域が形成されている。第１開口４３及び第２開口４４の形状及び大きさ並びに一対の仕切り板５１，５２間の距離が前述した関係であれば、柄２ａをケース４０内に挿通可能であり、かつ、ケース４０によって歯ブラシ２を保持できる。一対の仕切り板５１，５２の間隔は、例えば、第１開口４３及び第２開口４４で柄２ａを保持できれば、柄２ａのうち、振動印加部３の第１被挿入領域のうち最も厚い部分の厚さより長くてもよい。
【００３９】
振動部１０Ａは、モータ１１の軸１１ｂに偏心分銅１２が偏心固定された偏心分銅付きモータである。振動部１０Ａは、仕切り板５１より背面側の領域であって、ケース４０の周壁４５との間の領域に収容されている。振動部１０Ａは、仕切り板５１に固定された支持台５３に、偏心分銅１２が回転可能に固定されている。具体的には、偏心分銅１２が支持台５３に当接しないように、モータ１１が支持台５３に固定されている。支持台５３は、仕切り板５１と一体的に形成されていてもよい。支持台５３の厚さは、偏心分銅１２が回転可能な高さであればよい。図３に示したように、ケース４０の周壁４５は、偏心分銅１２の回転領域を確保可能な形状を有し得る。
【００４０】
振動部１０Ｂは、振動部１０Ａと同じ構成を有する。すなわち、振動部１０Ｂは、モータ１１の軸１１ｂに偏心分銅１２が偏心固定された偏心分銅付きモータである。振動部１０Ｂは、仕切り板５２より正面側の領域であって、ケース４０の周壁４５との間の領域に収容されている。振動部１０Ｂは、仕切り板５２に形成された支持台５４に、偏心分銅１２が回転可能に固定されている。具体的には、偏心分銅１２が支持台５４に当接しないように、モータ１１が支持台５４に固定されている。支持台５４の厚さは、偏心分銅１２が回転可能な高さであればよい。
【００４１】
図３及び図５に示したように、接点端子Ｔ１ａ，Ｔ１ｂは、ケース後壁（振動印加部のグリップ部側端部）４２に固定されている。接点端子Ｔ１ａは、ケース後壁４２のうち背面側（図３及び図５に示した形態では、第２開口４４より背面側）に固定されており、接点端子Ｔ１ｂは、ケース後壁４２のうち正面側（図３及び図５に示した形態では、第２開口４４より正面側）に固定されている。
【００４２】
図３に示したように、接点端子Ｔ１ａ，Ｔ１ｂは、Ｌ字状を呈する導電板である。接点端子Ｔ１ａ，Ｔ１ｂの一部は、ケース後壁４２に埋め込まれており、接点端子Ｔ１ａ，Ｔ１ｂの埋設領域以外の領域は、振動部１０Ａ及び振動部１０Ｂと接点端子Ｔ１ａ，Ｔ１ｂとの電気的接続のためにケース４０内部に引き出されている。電力供給部２０からの所定の駆動信号を接点端子Ｔ１ａ，Ｔ１ｂに供給するために、図５に示したように、接点端子Ｔ１ａ，Ｔ１ｂが露出するようにケース後壁４２の一部に孔部４２ａが形成されている。
【００４３】
図５に示したように、第１マグネットＭ１は、ケース後壁４２の内側に固定されている。したがって、第１マグネットＭ１は、振動印加部３の後端部（グリップ部側端部）に設けられている。第１マグネットＭ１の例は、永久磁石である。本実施形態では、第１マグネットＭ１は、振動印加部３をグリップ部４側からみた場合に、ケース後壁４２の左下部分及び右上部分の内側にそれぞれ配置されている。第１マグネットＭ１の形状は限定されないが、例えば円板状及び球状を呈し得る。第１マグネットＭ１は、図３に模式的に示したように、例えばケース後壁４２の内側にマグネット収容部４６を設け、その中に固定され得る。ただし、第１マグネットＭ１は、ケース後壁４２に直接固定されてもよい。第１マグネットＭ１の固定方法は、第１マグネットＭ１が動かないように固定できればよく、例えば接着剤により固定され得る。
【００４４】
２つの第１マグネットＭ１は、互いに同じ磁極（Ｎ極又はＳ極）がグリップ部４側に位置するように配置されてもよいし、互いに異なる磁極であるように、すなわち、例えば一方の第１マグネットＭ１のグリップ部４側の面がＮ極であり、他方の第１マグネットＭ１のグリップ部４側の面がＳ極であるように、配置されてもよい。
【００４５】
振動印加部３のケース後壁４２には、振動印加部３をグリップ部４に取り付ける際の位置合わせのために、図５に示したように、位置合わせ用突起４２ｂが形成されていてもよい。位置合わせ用突起４２ｂは、一つでもよいが、振動印加部３とグリップ部４との位置合わせをより確実にするために、位置合わせ用突起４２ｂは、図５に示したように２個形成されていることが好ましい。図５では、ケース後壁４２をグリップ部４側から視た場合に左上と右下に位置合わせ用突起４２ｂを設けているが、位置合わせ用突起４２ｂの位置は図５に示した形態に限定されない。位置合わせ用突起４２ｂは３個以上でもよい。
【００４６】
上記振動印加部３は、例えば、振動印加部３で歯ブラシ２を保持した状態で、柄２ａの厚さ方向に直交しかつ柄２ａの軸線を含む仮想平面で振動印加部３を分割した構成を有する背面側部品３ａと正面側部品３ｂとを製造した後、それらを組み立てることで得られる。
【００４７】
背面側部品３ａは例えば次のようにして製造され得る。まず、ケース４０を上記仮想平面で分割した背面側の部分に対応する第１ケース部４０Ａを作製する。この際、ケース後壁４２の一部を構成する第１ケース部４０Ａの後壁に、接点端子Ｔ１ａの一部が埋設した状態で、第１ケース部４０Ａを製造する。例えば、ケース４０が樹脂からなる場合は、射出成形で第１ケース部４０Ａを作製可能である。その後、第１ケース部４０Ａの後壁の内側に第１マグネットＭ１を固定する。これらの作業と並行して、支持台５３に振動部１０Ａが固定された仕切り板５１を準備する。その後、振動部１０Ａと、接点端子Ｔ１ａとの配線を施した後、第１ケース部４０Ａ内側に、振動部１０Ａが位置するように、仕切り板５１を第１ケース部４０Ａに固定することで、背面側部品３ａが得られる。
【００４８】
正面側部品３ｂは、接点端子Ｔ１ａの代わりに接点端子Ｔ１ｂを採用して、第１ケース部４０Ａと対を為す第２ケース部４０Ｂを作製するとともに、振動部１０Ａの代わりに振動部１０Ｂを採用する点以外は、背面側部品３ａと同様にして製造され得る。
【００４９】
上記のようにして得られた背面側部品３ａと正面側部品３ｂとを、例えば、ねじ止め又は係合によって組み立てることで、振動印加部３が製造され得る。
【００５０】
図１、図２及び図５に示した形態では、正面側部品３ｂは、背面側部品３ａに向けて立設された板部６１を有し、背面側部品３ａの外面に爪部６２が形成されている。そして、正面側部品３ｂの板部６１に形成された孔部６１ａに、背面側部品３ａの爪部６２を係合させることで、振動印加部３が構成されている。
【００５１】
上記振動印加部３の構成では、振動部１０Ａ，１０Ｂは、仕切り板５１，５２上の支持台５３，５４に固定されており、仕切り板５１，５２は、ケース４０に固定されている。そのため、振動部１０Ａ，１０Ｂが振動すると、振動印加部３が振動し、その振動が、ケース４０に保持された歯ブラシ２に伝達される。
【００５２】
振動印加部３は、偏心分銅付きモータである振動部１０Ａ，１０Ｂを内蔵しており、振動部１０Ａ，１０Ｂの振動を歯ブラシ２に伝達できるように歯ブラシ２を保持可能であるとともに、グリップ部４と着脱自在に構成されていれば、限定されない。
【００５３】
＜グリップ部＞
グリップ部４は、ケース７０と、接点端子Ｔ２ａ，Ｔ２ａ，Ｔ２ｂ，Ｔ２ｂと、第２マグネットＭ２，Ｍ２と、を有する。
【００５４】
ケース７０は、中空柱状体である。ケース前壁（グリップ部の振動印加部側端部）７１には、歯ブラシ２の柄２ａを通す開口７２が形成されている。ケース前壁７１は、グリップ部４において振動印加部３側に位置する壁である。開口７２の形状及び大きさは、柄２ａのうちグリップ部４に挿入される領域（以下、「第２被挿入領域」と称す）の前端の形状及び大きさに実質的に一致している。本実施形態では、ケース後壁７３には、開口は形成されていない。ケース７０の材料は、例えばポリカーボネート（ＰＣ）といった樹脂であり、樹脂に限定されず金属でもよい。
【００５５】
ケース７０には、柄２ａを挟むように一対の仕切り板８１，８２が固定されている。一対の仕切り板８１，８２はケース７０にねじ止めされてもよいし、接着剤によって固定されてもよい。一対の仕切り板８１，８２の材料は、例えばポリカーボネート（ＰＣ）といった樹脂であり、樹脂に限定されず金属でもよい。一対の仕切り板８１，８２の間の距離は、柄２ａのうちグリップ部４の第２被挿入領域の厚さ以上であればよく、例えば図３に示したように、仕切り板８１及び仕切り板８２と柄２ａの間に隙間が空いていてもよい。
【００５６】
上記構成では、振動印加部３をグリップ部４に取り付けた際に、歯ブラシ２の柄２ａのうち、振動印加部３のケース後壁４２から突出している部分を、グリップ部４内に収容可能である。
【００５７】
仕切り板８１より背面側の領域であって、ケース７０の周壁７４との間の領域には、電源部２１が収容されている。図３に示した形態では、電源部２１は、乾電池２１Ａを有する。乾電池２１Ａは、仕切り板８１に固定された電池ボックス２１Ｂに収容されている。図３では、電池ボックス２１Ｂを仕切り板８１にねじ止めした形態を例示している。電池ボックス２１Ｂは、仕切り板８１に固定されていれば、その固定方法はねじ止めに限定されない。電池ボックス２１Ｂは、仕切り板８１に例えば接着剤で固定されてもよい。
【００５８】
仕切り板８２より正面側の領域であって、ケース７０の周壁７４との間の領域には、回路基板９０が収容されている。回路基板９０は、図３に示したように、ねじ止めによってケース７０に固定されてもよいし、接着剤によって固定されてもよい。
【００５９】
回路基板９０には、スイッチ部２２及び３つのＬＥＤ３０ａ，３０ｂ，３０ｃが実装されており、回路基板９０には、図４に示した振動制御部２３に対応する回路が構成されている。スイッチ部２２、振動制御部２３及びＬＥＤ３０ａ，３０ｂ，３０ｃの電気的接続関係は、図４を利用して説明したので説明を省略するが、これらの電気的接続は、回路基板９０上の配線で実現し得る。また、図４で説明したように、電源部２１は、振動制御部２３と電気的に接続されている。これは、電池ボックス２１Ｂから回路基板９０に配線を施すことで実現され得る。電池ボックス２１Ｂから回路基板９０に配線をするために、例えば仕切り板８１，８２には配線用の孔部又は切欠き部を形成してもよい。
【００６０】
図３に示した形態では、ケース７０の周壁７４のうち正面側の領域、すなわち、仕切り板８２と対向する領域の内側には、スイッチ部２２、ＬＥＤ３０ａ，３０ｂ，３０ｃにそれぞれ対応した筒部７５，７６ａ，７６ｂ，７６ｃが立設されている。
【００６１】
スイッチ部２２は、筒部７５内に収容され、スイッチ部２２の先端部は、筒部７５の開口を介してケース７０の外部に露出している。これにより、ユーザがスイッチ部２２を押すことが可能である。
【００６２】
ＬＥＤ３０ａ，３０ｂ，３０ｃは、対応する筒部７６ａ，７６ｂ，７６ｃに囲まれている。これにより、ＬＥＤ３０ａ，３０ｂ，３０ｃからの光が拡散せずに、筒部７６ａ，７６ｂ，７６ｃの開口から効率的に外部に出力され得る。
【００６３】
図２及び図３に示したよう、一実施形態において、周壁７４の正面側には、銘板フィルムＰが貼合されていてもよい。銘板フィルムＰが、ケース７０の周壁７４に形成された筒部７５，７６ａ，７６ｂ，７６ｃの開口を覆う場合には、スイッチ部２２の先端部を露出させるように、銘板フィルムＰに開口Ｐａが形成されるとともに、ＬＥＤ３０ａ，３０ｂ，３０ｃからの光を出力可能なように、ＬＥＤ３０ａ，３０ｂ、３０ｃに対応して透光性を有する窓部Ｐｂ，Ｐｂ，Ｐｂが形成されていればよい。
【００６４】
図３及び図６に示したように、接点端子Ｔ２ａ，Ｔ２ｂは、ケース前壁７１に固定されている。接点端子Ｔ２ａ，Ｔ２ｂは、図５に示した接点端子Ｔ１ａ，Ｔ１ｂに対応した位置に、より具体的には、図５に示したケース後壁４２の孔部４２ａに対応した位置に固定されている。接点端子Ｔ２ａ，Ｔ２ｂは、棒状のスプリングコネクタであり、ケース前壁７１を貫通するようにケース前壁７１に固定されている。
【００６５】
接点端子Ｔ２ａ，Ｔ２ｂが、図５に示したケース後壁４２の孔部４２ａに対応した位置に固定されていることから、振動印加部３をグリップ部４に取り付けた際に、接点端子Ｔ２ａ及び接点端子Ｔ２ｂのそれぞれは、対応する接点端子Ｔ１ａ及び接点端子Ｔ１ｂに接触する。また、接点端子Ｔ２ａ，Ｔ２ｂがスプリングコネクタであることから、振動印加部３が振動しても、接点端子Ｔ２ａ及び接点端子Ｔ２ｂと、接点端子Ｔ１ａ及び接点端子Ｔ１ｂとの接触を維持できる。その結果、電力供給部２０（より具体的には、振動制御部２３）から振動部１０Ａ，１０Ｂへの信号を安定して供給できる。
【００６６】
図６に示したように、第２マグネットＭ２は、ケース前壁７１の内側に固定されている。したがって、第２マグネットＭ２は、グリップ部４の前端部（振動印加部側端部）に設けられている。第２マグネットＭ２の例は、永久磁石である。本実施形態では、第２マグネットＭ２は、第１マグネットＭ１に対応する位置に設けられていればよい。本実施形態では、図５に示したように、第１マグネットＭ１は、振動印加部３をグリップ部４側からみた場合に、ケース後壁４２の左下部分及び右上部分にそれぞれ第１マグネットＭ１が配置されていることから、第２マグネットＭ２は、図６に示したように、グリップ部４を振動印加部３側からみた場合に、ケース前壁７１の左上部及び右下部分にそれぞれ配置される。第２マグネットＭ２の形状は限定されないが、例えば円板状及び球状を呈し得る。第２マグネットＭ２は、図３に模式的に示したように、例えばケース前壁７１の内側にマグネット収容部７７を設け、その中に固定され得る。第２マグネットＭ２の固定方法は、第２マグネットＭ２が動かないように固定できれば、限定されず、例えば接着剤により固定され得る。
【００６７】
各第２マグネットＭ２は、対応する第１マグネットＭ１においてグリップ部４側の面の磁極と反対側の磁極が振動印加部３側に位置するように、配置及び固定されていればよい。これにより、振動印加部３をグリップ部４に、第１マグネットＭ１及び第２マグネットＭ２の磁力により着脱自在に取り付けることが可能である。
【００６８】
図５に示したように、振動印加部３のケース後壁４２に位置合わせ用突起４２ｂが形成されている場合には、位置合わせ用突起４２ｂに対応して、ケース前壁７１には、位置合わせ用突起４２ｂを受ける凹部７１ａが形成される。この場合、位置合わせ用突起４２ｂと凹部７１ａを嵌合することで、振動印加部３とグリップ部４とを容易に位置合わせし、バイブレータ１を構成し得る。
【００６９】
上記グリップ部４は、例えば、グリップ部４に歯ブラシ２の柄２ａが挿入された状態で、柄２ａの厚さ方向に直交し且つ柄２ａの軸線を含む仮想平面でグリップ部４を分割した構成を有する背面側部品４ａと正面側部品４ｂとを製造した後、それらを組み立てることで得られる。
【００７０】
背面側部品４ａは例えば次のようにして製造され得る。まず、ケース７０を上記仮想平面で分割した背面側の部分に対応する第１ケース部７０Ａを作製する。この際、ケース前壁７１の一部を構成する第１ケース部７０Ａの前壁に、接点端子Ｔ２ａの一部が埋設した状態で、第１ケース部７０Ａを製造する。例えば、ケース７０が樹脂からなる場合は、射出成形で第１ケース部７０Ａを作製可能である。その後、第１ケース部７０Ａの前壁の内側に第２マグネットＭ２を固定する。これらの作業と並行して、電源部２１が固定された仕切り板８１を準備する。その後、第１ケース部７０Ａの内側に、電源部２１が位置するように、仕切り板８１を第１ケース部７０Ａに固定することで、背面側部品４ａが得られる。仕切り板８１を第１ケース部７０Ａに固定する前の段階で、回路基板９０と電源部２１との配線が可能なように、導線といった配線ラインを外側に引き出しておけばよい。
【００７１】
同様に、正面側部品４ｂは例えば次のようにして製造され得る。まず、ケース７０を上記仮想平面で分割した正面側の部分に対応する第２ケース部７０Ｂを作製する。この際、ケース前壁７１の一部を構成する第２ケース部７０Ｂの前壁に、接点端子Ｔ２ｂの一部が埋設した状態で、第２ケース部７０Ｂを作製する。例えば、ケース７０が樹脂からなる場合は、射出成形で第２ケース部７０Ｂを作製可能である。その後、第２ケース部７０Ｂの前壁の内側に第２マグネットＭ２を固定する。これらの作業と並行して、スイッチ部２２、振動制御部２３及びＬＥＤ３０ａ，３０ｂ，３０ｃが実装された回路基板９０と電源部２１との配線を施した後、回路基板９０を第２ケース部７０Ｂに固定する。その後、第２ケース部７０Ｂに仕切り板８２を固定することで、正面側部品４ｂが得られる。
【００７２】
上記のようにして得られた背面側部品４ａと正面側部品４ｂとを、例えば、ねじ止め又は係合によって組み立てることで、グリップ部４が製造され得る。
【００７３】
上記バイブレータ１を使用してユーザが歯磨きをする際には、まず、振動印加部３に歯ブラシ２の柄２ａを通し、振動印加部３で歯ブラシ２を保持する。その後、第１マグネットＭ１及び第２マグネットＭ２の磁力により振動印加部３をグリップ部４に取り付けてバイブレータ１を組みたてる。この際、位置合わせ用突起４２ｂが設けられている形態では、位置合わせ用突起４２ｂを突起受け用の凹部７１ａに嵌合することで、振動印加部３をグリップ部４に対して所定の位置に容易に取り付けられる。
【００７４】
その後、ユーザは、押しボタン式スイッチであるスイッチ部２２を押して所望の強さで振動部１０Ａ，１０Ｂを振動させることで、歯ブラシ２を振動させながら歯を磨く。
【００７５】
バイブレータ１では、振動印加部３とグリップ部４とが別部品であり、それらが着脱自在に構成されている。よって、グリップ部４をユーザが把持しても、振動印加部３の振動がユーザの把持力で減衰されにくい。その結果、振動印加部３の振動を歯ブラシ２に効率的に伝達できる。また、歯ブラシ２の柄２ａの大きさに適合する振動印加部３を複数台準備しておけば、同一のグリップ部４に対して振動印加部３を変えるだけで、大きさの異なる歯ブラシをそれぞれ電動歯ブラシとして使用可能である。
【００７６】
振動印加部３とグリップ部４とを第１マグネットＭ１及び第２マグネットＭ２の磁力で結合するので、振動印加部３とグリップ部４とを容易に着脱可能である。磁力結合であることから、振動印加部３はグリップ部４が把持されていても揺動しやすい。そのため、振動印加部３の振動が更に歯ブラシ２に伝達しやすい。
【００７７】
更に、グリップ部４に電力供給部２０、すなわち、電源部２１及び振動制御部２３などを収容しているため、振動印加部３の軽量化が図れている。よって、振動印加部３が振動しやすく、歯ブラシ２に伝達する振動強度を高くできる。
【００７８】
振動印加部３が２つの振動部１０Ａ，１０Ｂを備えていることで、振動印加部３の振動強度が高くなっている。その結果、歯ブラシ２の振動強度も高くなり、歯磨きを効率的に行える。更に、振動部１０Ａ，１０Ｂを２つ備えることで、振動印加部３の振動強度の調整の自由度が大きくなる。そのため、調整範囲が広がりユーザの好みに合わせた強度で歯磨きを行い得る。なお、振動印加部３は、振動部を少なくとも一つ備えていればよい。
【００７９】
次に、実験結果を参照してバイブレータ１の作用効果について具体的に説明する。実験結果の説明において、バイブレータ１の構成要素に対応する要素には同じ符号を付す。
【００８０】
［実験用デバイス］
実験では、図７〜図９に示した第１デバイス１００を使用するとともに、図１０〜図１１に示した第２デバイス１１０を使用した。
【００８１】
＜第１デバイス＞
第１デバイス１００は、第１部品１０１と第２部品１０２とを有する。第１部品１０１及び第２部品１０２は磁力により着脱自在に構成されている。
【００８２】
第１部品１０１は、歯ブラシ２が振動印加部３に挿通され保持された状態をモデル化した部品である。第１部品１０１は、本体部１０３と、振動部１０Ａ，１０Ｂと、２つの第１マグネットＭ１，Ｍ１とを有する。
【００８３】
本体部１０３は、柱状体１０４に棒１０５Ａ，１０５Ｂが立設されて構成されている。第１デバイス１００の説明において、柱状体１０４の軸線方向をＸ軸方向と称し、Ｘ軸方向に直交する２つの方向をＹ軸方向及びＺ軸方向と称す。
【００８４】
柱状体１０４は、略直方体形状を呈する。図８に示したように、柱状体１０４の軸線方向（Ｘ軸方向）の長さＬ１は、４０ｍｍであった。図７に示したように、柱状体１０４の最大幅Ｗ１は、３５ｍｍであった。
【００８５】
図８及び図９に示したように、棒１０５Ａ，１０５Ｂは、柱状体１０４の端面１０４ａ及び端面１０４ｂに、棒１０５Ａ，１０５Ｂの軸線が柱状体１０４の軸線に一致するように立設されていた。棒１０５Ａの長さＬ２は、７５ｍｍであり、棒１０５Ａの幅Ｗ２（図７参照）は、１１．５ｍｍであり、棒１０５Ａの厚さｄ１は５ｍｍであった。棒１０５Ｂの長さＬ３は、６５ｍｍであった。本体部１０３の材料は、ＰＣ（ポリカーボネート）であり、一体成形されている。
【００８６】
振動部１０Ａは、柱状体１０４の側面１０４ｃに形成された凹部１０４ｄに収容され、振動部１０Ａが有するモータ１１の軸１１ｂに固定された偏心分銅１２が回転可能に固定されている。凹部１０４ｄは、凹部１０４ｄの延在方向が柱状体１０４の軸線と交差するように形成されている。よって、凹部１０４ｄ内に配置され固定された振動部１０Ａが有するモータ１１の軸方向は、柱状体１０４の軸線に対して傾斜している。
【００８７】
振動部１０Ｂは、振動部１０Ｂが有するモータ１１の軸方向が、柱状体１０４の軸線に対して振動部１０Ａが有するモータ１１の軸方向と反対側に傾斜している点以外は、同様にして、側面１０４ｃと反対側の側面１０４ｅに形成された凹部１０４ｆ内に収容されている。
【００８８】
図９に示したように、柱状体１０４の端面１０４ｂには、第１マグネットＭ１を収容する孔部１０４ｇが形成され、孔部１０４ｇ内に第１マグネットＭ１が接着剤により固定されている。第１マグネットＭ１は、図９に示したように、端面１０４ｂを第２部品１０２側からみて左下及び右上に設けられている。第１マグネットＭ１は円板状の永久磁石であった。
【００８９】
第２部品１０２は、グリップ部４をモデル化した柱状体の部品である。図８に示したように、第２部品１０２には、第１部品１０１の棒１０５Ｂが挿入される挿入孔１０２ａが形成されている。第２部品１０２の軸線に直交する断面の形状は、第１部品１０１の軸線に直交する断面の形状と略同じであった。第２部品１０２は、第１部品１０１と同様に、ＰＣ（ポリカーボネート）から構成されている。第２部品１０２の端面１０２ｂ（図８参照）において、第１マグネットＭ１に対応する位置に第２マグネットＭ２を固定した。第２マグネットＭ２は、第１マグネットＭ１の場合と同様に、端面１０２ｂに形成した凹部内に収容し、接着剤で固定した。
【００９０】
第１部品１０１を第２部品１０２に、第１マグネットＭ１と第２マグネットＭ２の磁力により取り付けた状態で、第２部品１０２の端面１０２ｂと反対側の端面１０２ｃと、第１部品１０１の端面１０４ａまでの長さＬ４は１２０ｍｍであった。第１部品１０１と第２部品１０２との間には、０．６ｍｍのギャップｇが存在していた。
【００９１】
＜第２デバイス＞
第２デバイス１１０は、柱状体１１１と、柱状体１１１の端面１１１ａから柱状体１１１の軸線にそって延びる棒１１２とを有する。第２デバイス１１０の説明においても、第１デバイス１００の場合と同様に、柱状体１１１の軸線方向をＸ軸方向と称し、Ｘ軸方向に直交する２つの方向をＹ軸方向及びＺ軸方向と称す。柱状体１１１のＸ軸方向の長さＬ５は、１２５ｍｍであった。柱状体１１１の軸方向に直交する断面の形状は、第１デバイス１００が有する柱状体１０４の断面形状と略同じであった。
【００９２】
棒１１２の長さＬ６は、７５ｍｍであり、厚さｄ２は５ｍｍであり、幅Ｗ３（図１０参照）は、１１．５ｍｍであった。
【００９３】
柱状体１１１及び棒１１２は、第１部品１０１及び第２部品１０２と同様にＰＣ（ポリカーボネート）から構成されており、第２デバイス１１０は一体的に成形されている。
【００９４】
柱状体１１１の側面１１１ｂに、第１デバイス１００が有する振動部１０Ａと同様にして、振動部１０Ａを固定した。すなわち、側面１１１ｂに凹部１１１ｃを形成し、その中に振動部１０Ａを収容し、固定した。
【００９５】
同様に、柱状体１１１のうち側面１１１ｂと反対側の側面１１１ｄに、第１デバイス１００が有する振動部１０Ｂと同様にして、振動部１０Ｂを固定した。すなわち、側面１１１ｄに凹部１１１ｅを形成し、その中に振動部１０Ｂを収容し、固定した。
【００９６】
柱状体１１１における端面１１１ａを柱状体１０４における端面１０４ａに対応させた場合において、第２デバイス１１０における振動部１０Ａ，１０Ｂの配置は、第１デバイス１００における振動部１０Ａ，１０Ｂと同じであった。
【００９７】
［検証実験１］
検証実験１では、図１２に模式的に示したように、第１部品１０１を第２部品１０２に、第１マグネットＭ１と第２マグネットＭ２との磁力により取り付けて第１デバイス１００を構成した。その後、第１デバイス１００において、図１に示した歯ブラシ２の前側端部の部分（すなわち、第１デバイス１００の棒１０５Ａの先端）に振動センサー１２１を取り付けた状態で、第１デバイス１００の第２部品１０２側の端部を万力１２２で押さえて第１デバイス１００を固定した。この万力１２２による固定は、歯ブラシ用バイブレータのグリップ部をユーザが把持することに対応する。振動センサー１２１には、昭和測器株式会社製のアンプ内蔵３軸加速度検出器ＭＯＤＥＬ−２４６２を使用した。
【００９８】
第１デバイス１００に取り付けられた振動部１０Ａ，１０Ｂのうちの振動部１０Ａのモータ１１を駆動し、棒１０５Ａの先端の振動状態を振動センサー１２１で計測した。すなわち、検証実験１では、一つの振動部１０Ａのみを利用して第１デバイス１００を振動させた。
【００９９】
第１デバイス１００の振動状態として、図１２に示したＸ軸方向、Ｙ軸方向及びＺ軸方向それぞれの変位（ｍｍ）とともに、各方向の加速度（Ｇ）を計測した。 Ｘ軸方向は、第１デバイス１００の軸線方向に対応し、Ｙ軸方向は、棒１０５Ａの幅方向に対応し、Ｚ軸方向は、棒１０５Ａの厚さ方向に対応する。図１２に示したＸ軸方向、Ｙ軸方向及びＺ軸方向は、図８〜図１０に示した各方向に対応する。
【０１００】
振動センサー１２１の計測結果は、振動計１２３として昭和測器株式会社製のチャージ振動計  Ｍｏｄｅｌ−１６０７Ａで測定した。具体的には、前述のように、第１デバイス１００を振動させた状態で、測定モードを切り替えることで、変位及び加速度のデータを取得した。
【０１０１】
変位の実験結果は、図１３に示したとおりである。図１３において、横軸は、時間（ｍｓ）であり、縦軸は、変位（ｍｍ）である。加速度の実験結果は、図１４に示したとおりである。図１４において、横軸は時間（ｍｓ）であり、縦軸は加速度（Ｇ）である。
【０１０２】
［検証実験２］
第１デバイス１００の代わりに第２デバイス１１０を万力１２２に固定した点以外は、検証実験１と同様の実験を行った。第２デバイス１１０では、棒１１２の先端に振動センサー１２１を取り付けた。変位の実験結果は、図１５に示したとおりである。図１５において、横軸は時間（ｍｓ）であり、縦軸は変位（ｍｍ）である。加速度の実験結果は、図１６に示したとおりである。図１６において、横軸は時間（ｍｓ）であり、縦軸は加速度（Ｇ）である。
【０１０３】
［検証実験１と検証実験２の比較］
変位の計測結果である図１３及び図１５を比較すると、着脱自在の第１部品１０１と第２部品１０２とを有する第１デバイス１００の方が、第２デバイス１１０より、Ｘ軸方向、Ｙ軸方向及びＺ軸方向のすべてにおいて、大きな変位を実現していた。加速度の計測結果である図１４及び図１６を比較しても、第１デバイス１００の方が、一体型の第２デバイス１１０より、Ｘ軸方向、Ｙ軸方向及びＺ軸方向のすべてにおいて、大きな加速度を実現していた。
【０１０４】
第１デバイス１００は、振動部１０Ａが取り付けられている第１部品１０１と、第２部品１０２とを有し、それらが着脱自在に構成されている。よって、第１デバイス１００は、図１に示したバイブレータ１に対応する。一方、第２デバイス１１０は、第１デバイス１００における第１部品１０１と第２部品１０２とが分離不可能なように一体化されたモデルに対応し、換言すれば、従来の電動歯ブラシモデルに対応する。そして、前述したように、万力１２２で第１デバイス１００及び第２デバイス１１０それぞれの一端を固定することは、グリップ部をユーザが把持することに対応する。
【０１０５】
したがって、検証実験１及び検証実験２の結果より、従来のように、ユーザが把持する部分に振動部が配置され、かつ、密着結合されている電動歯ブラシよりも、振動印加部３とグリップ部４とを着脱自在に構成することによって、振動部１０Ａによる振動の減衰を低減できていることが検証された。
【０１０６】
［検証実験３］
検証実験３では、検証実験１において、２つの振動部１０Ａ，１０Ｂを駆動した点以外は、検証実験１と同様にして、実験を行った。変位の実験結果は、図１７に示したとおりである。図１７において、横軸は、時間（ｍｓ）を示しており、縦軸は、変位（ｍｍ）を示している。加速度の実験結果は、図１８に示したとおりである。図１８において、横軸は時間（ｍｓ）を示しており、縦軸は加速度（Ｇ）を示している。
【０１０７】
［検証実験４］
検証実験４では、検証実験２において、２つの振動部１０Ａ，１０Ｂを駆動した点以外は、検証実験２と同様にして、実験を行った。振動センサー１２１の配置位置は、検証実験２で説明したとおりである。変位の実験結果は、図１９に示したとおりである。図１９において、横軸は、時間（ｍｓ）を示しており、縦軸は、変位（ｍｍ）を示している。加速度の実験結果は、図２０に示したとおりである。図２０において、横軸は時間（ｍｓ）を示しており、縦軸は加速度（Ｇ）を示している。
【０１０８】
［検証実験３と検証実験４との比較］
変位の計測結果である図１７及び図１９を比較すると、第１デバイス１００の方が、第２デバイス１１０より、Ｘ軸方向、Ｙ軸方向及びＺ軸方向のすべてにおいて、大きな変位を実現していた。加速度の計測結果である図１８及び図２０を比較しても、第１デバイス１００の方が、第２デバイス１１０より、Ｘ軸方向、Ｙ軸方向及びＺ軸方向のすべてにおいて、大きな加速度を実現していた。
【０１０９】
したがって、振動部１０Ａ，１０Ｂの２つを駆動した場合においても、従来のように、ユーザが把持する部分に振動部が配置され、かつ、密着結合されている電動歯ブラシよりも、振動印加部３とグリップ部４とを着脱自在に構成することによって、振動部１０Ａ，１０Ｂによる振動の減衰を低減できていることが検証された。
【０１１０】
［検証実験１と検証実験３との比較］
検証実験１及び検証実験３ではともに、バイブレータ１に対応する第１デバイス１００を使用して実験した。検証実験１と検証実験３の違いは、検証実験１では、振動部１０Ａ，１０Ｂのうち振動部１０Ａのみを駆動し、検証実験３では、振動部１０Ａ，１０Ｂの両方を駆動している点である。
【０１１１】
検証実験１及び検証実験３の変位の計測結果である図１３と図１７とを比較すると、検証実験３の方がＸ軸方向、Ｙ軸方向及びＺ軸方向のすべてにおいて、検証実験１より大きな変位を実現できていた。検証実験１及び検証実験３の加速度の計測結果である図１４と図１８とを比較すると、検証実験３の方がＸ軸方向、Ｙ軸方向及びＺ軸方向のすべてにおいて、検証実験１より大きな加速度を実現できていた。すなわち、１つの振動部１０Ａで駆動するより２つの振動部１０Ａ，１０Ｂで駆動することで、バイブレータ１をより効率的に振動できることが検証された。
【０１１２】
（第２の実施形態）
次に、図２１に示した第２の実施形態に係る歯ブラシ用バイブレータ１Ａを説明する。第２の実施形態においても、歯ブラシ用バイブレータ１Ａをバイブレータ１Ａと称す。
【０１１３】
バイブレータ１Ａは、第１の実施形態と同様に、歯ブラシ保持体である。バイブレータ１Ａは、振動印加部５とグリップ部６とを有する。第１の実施形態と同様に、振動印加部５とグリップ部６とは着脱自在の別部品である。
【０１１４】
振動印加部５は、バイブレータ１が有する振動印加部３と同様に、２つの振動部１０Ａ，１０Ｂを有する。振動部１０Ａ，１０Ｂは、第２の実施形態においても、モータ１１の軸１１ｂに偏心分銅１２が偏心固定された偏心分銅付きモータである。
【０１１５】
グリップ部６は、バイブレータ１が有するグリップ部４と同様に、振動印加部５がグリップ部６に取り付けられた状態で振動部１０Ａ，１０Ｂに電気的に接続される電力供給部２０（図４参照）を有する。グリップ部６は、振動状態表示部３０（図４参照）を有してもよい。振動部１０Ａ，１０Ｂ、電力供給部２０及び振動状態表示部３０の電気的な接続関係は、図４を利用して説明したバイブレータ１の場合と同様であるため、説明を省略する。第２の実施形態においても、振動制御部２３は、振動部１０Ａ，１０Ｂをそれらが同様の振動状態になるように駆動する形態を主に説明するが、振動制御部２３は、振動部１０Ａ，１０Ｂを異なる振動状態で駆動してもよい。すなわち、振動制御部２３は、振動部１０Ａ及び振動部１０Ｂの一方を駆動し、他方を駆動しないように制御してもよい。
【０１１６】
バイブレータ１Ａと、バイブレータ１との主な相違点は、一つの振動印加部５が、複数の大きさの歯ブラシ２をそれぞれ保持可能に構成されている点である。この相違点を中心に、グリップ部６が振動状態表示部３０を有し、振動状態表示部３０が３つのＬＥＤ３０ａ，３０ｂ，３０ｃを有する形態について説明する。
【０１１７】
第２の実施形態でも、第１の実施形態の場合と同様に、歯ブラシ２の柄２ａの延在方向において、毛束２ｂ側を「前側」と称し、反対側を「後側」と称す。歯ブラシ２の柄２ａの厚み方向において、毛束２ｂが設けられている側を「正面側」と称し、反対側を「背面側」と称す。バイブレータ１Ａの説明においても、歯ブラシ２がバイブレータ１に取り付けられた状態に基づいて、上記方向を示す用語を用いる。
【０１１８】
＜振動印加部＞
図２１、図２２及び図２３を利用してバイブレータ１Ａが有する振動印加部５について、説明する。
【０１１９】
振動印加部５は、振動部１０Ａ，１０Ｂと、歯ブラシ支持部１３０と、振動部１０Ａ用の第１収容部１４０と、振動部１０Ｂ用の第２収容部１５０と、接点端子Ｔ１ａ，Ｔ１ａ，Ｔ１ｂ，Ｔ１ｂと、第１マグネットＭ１，Ｍ１と、を有する。
【０１２０】
歯ブラシ支持部１３０は、Ｕ字部材１３１と、端板１３２とを有する。Ｕ字部材１３１は、対向配置された第１挟持部１３３及び第２挟持部１３４の後端が連結部１３５により連結されることによって構成されている。端板１３２は、第１挟持部１３３の前端に第２挟持部１３４に向けて設けられている。
【０１２１】
端板１３２及び連結部１３５のそれぞれには、歯ブラシ２の柄２ａを通す第１開口１３２ａ及び第２開口１３５ａが形成されている。第１開口１３２ａ及び第２開口１３５ａの大きさ及び形状は、想定している複数の歯ブラシ２の柄２ａがすべて通過可能な大きさ及び形状であればよい。
【０１２２】
歯ブラシ支持部１３０は、第１開口１３２ａ及び第２開口１３５ａを通して挿入された柄２ａを第１挟持部１３３及び第２挟持部１３４で挟むことによって、歯ブラシ２を支持する。すなわち、歯ブラシ支持部１３０は、歯ブラシ２のクリップとして機能する。以下、Ｕ字部材１３１と、端板１３２の構成例について具体的に説明する。
【０１２３】
Ｕ字部材１３１が有する第１挟持部１３３は、第１ベース板１３３ａと、複数の第１凸部１３３ｂを有する。第１ベース板１３３ａの幅（第１ベース板１３３ａの厚さ方向からみた幅）は、歯ブラシ２の柄２ａを挟持するのに必要な長さを有すればよい。例えば、第１ベース板１３３ａの幅は、歯ブラシ２の柄２ａの幅以上であり得る。第１ベース板１３３ａの材料の例は、樹脂であり、樹脂の例は、ジュラコン樹脂やＰＰ樹脂（ポリプロピレン樹脂）である。
【０１２４】
複数の第１凸部１３３ｂは、第１ベース板１３３ａの内面（第２挟持部１３４との対向面）に設けられている。各第１凸部１３３ｂは、第１ベース板１３３ａの幅方向に延在しており、複数の第１凸部１３３ｂは、第１凸部１３３ｂの延在方向に直交する方向に離散的に配置されている。複数の第１凸部１３３ｂのうち少なくとも一部は、第１挟持部１３３と第２挟持部１３４で柄２ａを挟持する際、柄２ａに当接する。第１凸部１３３ｂの延在方向に直交する断面の形状の例としては、台形、長方形、正方形などが挙げられる。
【０１２５】
第１凸部１３３ｂの材料の例としては、ゴムといった弾性材料、第１ベース板１３３ａと同じ材料などが例示される。第１凸部１３３ｂの材料が、第１ベース板１３３ａと同じである形態では、複数の第１凸部１３３ｂと第１ベース板１３３ａとは一体成形され得る。
【０１２６】
Ｕ字部材１３１が有する第２挟持部１３４の構成は、第１挟持部１３３と同じである。すなわち、第２挟持部１３４は、第２ベース板１３４ａと複数の第２凸部１３４ｂを有する。第２ベース板１３４ａ及び第２凸部１３４ｂの構成は第１挟持部１３３の第１ベース板１３３ａ及び第１凸部１３３ｂと同じである。なお、第２ベース板１３４ａの前端は、後述するストッパ部１３２ｂと係わり合うように形成されており、図２１及び図２２では、側面視において、三角形状を有するように形成されている形態を例示している。
【０１２７】
連結部１３５は、第１ベース板１３３ａ及び第２ベース板１３４ａの後端を連結している板である。連結部１３５には、第２開口１３５ａが形成されている。連結部１３５の材料の例は、第１ベース板１３３ａの材料の例と同様である。連結部１３５と第１ベース板１３３ａと第２ベース板１３４ａの材料が同じである形態では、それらは一体成形され得る。
【０１２８】
端板１３２は、第１ベース板１３３ａの前端に、第２ベース板１３４ａ側に向けて設けられている。端板１３２の第２ベース板１３４ａ側の端部には、第２ベース板１３４ａの前端をロックするための複数のストッパ部１３２ｂが形成されている。端板１３２の材料の例は、樹脂であり、樹脂の例は、ジュラコン樹脂やＰＰ樹脂（ポリプロピレン樹脂）である。端板１３２と第１ベース板１３３ａとが同じ材料から構成されている場合、それらは一体成形され得る。
【０１２９】
各ストッパ部１３２ｂは、端板１３２の幅方向に延在している。図２１及び図２２では、端板１３２のＵ字部材１３１側の面に対して凸状のストッパ部１３２ｂを例示しているが、ストッパ部１３２ｂは凹状でもよい。複数のストッパ部１３２ｂは、端板１３２の幅方向に直交する方向に離散的に配置されている。ストッパ部１３２ｂの延在方向に直交する断面の形状は、第２ベース板１３４ａの前端をストッパ部１３２ｂにより、複数箇所でロック可能な形状であればよい。
【０１３０】
上記歯ブラシ支持部１３０では、第２ベース板１３４ａの前端をロックするストッパ部１３２ｂの位置を適宜選択することで、第１ベース板１３３ａと第２ベース板１３４ａとの間の距離を調整可能である。よって、歯ブラシ支持部１３０は、柄２ａの厚さの異なる複数の歯ブラシ２を支持できる。そのため、複数のストッパ部１３２ｂの間隔及び形成領域は、想定している複数の歯ブラシ２の柄２ａの大きさに応じて形成されていればよい。
【０１３１】
第１収容部１４０は、Ｕ字部材１３１の背面側に設けられており、支持台１４１と、フレーム部１４２と、カバー１４３とを有する。
【０１３２】
支持台１４１は、振動部１０Ａを支持する台であり、第１ベース板１３３ａの外面に固定されている。支持台１４１には、振動部１０Ａが有するモータ１１が固定される。支持台１４１の高さは、偏心分銅１２の回転を妨げない高さであればよい。支持台１４１の材料の例は、第１ベース板１３３ａの材料と同様とし得る。支持台１４１が第１ベース板１３３ａと同じ材料から構成されている形態では、第１ベース板１３３ａと支持台１４１とは一体成形されてもよい。
【０１３３】
フレーム部１４２は、支持台１４１を囲むように、Ｕ字部材１３１の背面側に固定されている。フレーム部１４２の材料は、第１ベース板１３３ａの材料の例と同様とし得る。フレーム部１４２が第１ベース板１３３ａと同じ材料から構成されている形態では、第１ベース板１３３ａとフレーム部１４２とは一体成形されてもよい。
【０１３４】
カバー１４３は、フレーム部１４２において、第１ベース板１３３ａと反対側の端部（開放端部）を塞ぐ。振動部１０Ａの取り替えなどのために、カバー１４３は、フレーム部１４２に着脱自在に取り付けられることが好ましい。カバー１４３は、フレーム部１４２に例えば、ねじ止めで固定され得る。カバー１４３の材料の例としては樹脂が挙げられ、カバー１４３用の樹脂の例としては、ジュラコン樹脂が挙げられる。
【０１３５】
第２収容部１５０は、Ｕ字部材１３１の正面側に設けられており、支持台１５１と、フレーム部１５２と、カバー１５３とを有する。支持台１５１、フレーム部１５２及びカバー１５３の構成は、第１収容部１４０の支持台１４１、フレーム部１４２及びカバー１４３と同じである。
【０１３６】
図２１及び図２３に示したように、接点端子Ｔ１ａ及び接点端子Ｔ１ｂは、それぞれフレーム部１４２及びフレーム部１５２の後壁１４２ａ，１５２ａに固定されている。接点端子Ｔ１ａは、接点端子Ｔ２ａと振動部１０Ａとの電気的な接続が可能に構成されていればよい。例えば、接点端子Ｔ１ａは、ネジ状（又はボルト状）を呈し、頭部から立設された軸がフレーム部１４２の後壁１４２ａを貫通するように、後壁１４２ａに固定されてもよい。接点端子Ｔ１ｂについても同様に、接点端子Ｔ２ｂと振動部１０Ｂとの電気的な接続が可能に構成されていればよい。
【０１３７】
２つの第１マグネットＭ１のそれぞれは、フレーム部１４２，１５２の後壁１４２ａ，１５２ａに固定されている。第２の実施形態では、後壁１４２ａ，１５２ａのそれぞれに形成されたマグネット収容部１６１，１６２内に第１マグネットＭ１を収容し、固定している。マグネット収容部１６１，１６２は後壁１４２ａ，１５２ａから外側に立設されている。よって、第１マグネットＭ１は、振動印加部５においてグリップ部６側の端部に位置する。第１マグネットＭ１の構成及び固定方法などは、第１の実施形態と同様である。第２の実施形態において、第１マグネットＭ１は、円板状（又はボタン状）を呈する。
【０１３８】
グリップ部６側からみた場合の振動印加部５を例示している図２３では、接点端子Ｔ１ａ，Ｔ１ａの間及び接点端子Ｔ１ｂ，Ｔ１ｂの間にそれぞれ第１マグネットＭ１を固定している。しかしながら、第１マグネットＭ１及び接点端子Ｔ１ａ，Ｔ１ａ及び接点端子Ｔ１ｂ，Ｔ１ｂの配置関係は、図２３に示した形態に限定されない。
【０１３９】
＜グリップ部＞
図２１及び図２４を利用してバイブレータ１Ａが有するグリップ部６について、説明する。グリップ部６は、グリップ部４と同様にユーザに把持される部分であり、図４に例示した電力供給部２０を内蔵している。グリップ部６においても、電力供給部２０におけるスイッチ部２２及び振動制御部２３と、ＬＥＤ３０ａ，３０ｂ，３０ｃは、グリップ部６が有するケース７０に固定された回路基板９０に実装されている。そのため、図２１では、図３の場合に示した形態と同様に、筒部７５，７６ａ，７６ｂ，７６ｃがケース７０の周壁７４の内側に設けられた形態を例示している。グリップ部６は、銘板フィルムＰを有してもよい。
【０１４０】
図２１に示したように、グリップ部６は、電源部２１として、乾電池２１Ａの代わりに充電式電池２１Ｃを使用した点、及び、振動印加部５における接点端子Ｔ１ａ，Ｔ１ｂの配置に合わせて接点端子Ｔ２ａ，Ｔ２ｂの配置を変更している点以外は、グリップ部４と同様である。この相違点を中心にグリップ部６を説明する。
【０１４１】
グリップ部６では、仕切り板８１に電源部２１として充電式電池２１Ｃが固定されている。図２１では、充電式電池２１Ｃと、ケース７０に固定された回路基板９０への配線及びそれに伴う端子などの図示は、第１の実施形態と同様に省略している。グリップ部６が有するケース７０は、充電式電池２１Ｃを充電するために、例えばケース７０に充電用端子を備えてもよいし、充電式電池２１Ｃに充電用端子を接続するために、ケース後壁７３が開閉可能又はケース７０の胴部から分離可能に構成されていてもよい。
【０１４２】
グリップ部６においても、ケース前壁７１に接点端子Ｔ２ａ，Ｔ２ｂが固定されている。接点端子Ｔ２ａは、接点端子Ｔ１ａに対応した位置に固定されるとともに、接点端子Ｔ２ｂは、接点端子Ｔ１ｂに対応した位置に固定されている。接点端子Ｔ２ａ，Ｔ２ｂの例及び接点端子Ｔ２ａ，Ｔ２ｂのケース前壁７１への固定状態などは、第１の実施形態で説明した接点端子Ｔ２ａ，Ｔ２ｂと同様である。
【０１４３】
第２マグネットＭ２は、ケース前壁７１において、第１マグネットＭ１に対応する位置に固定されている。第２の実施形態では、第２マグネットＭ２は球状の永久磁石であり、ケース前壁７１の外面に形成された凹部７１ｂ内に収容され、固定されている。このように凹部７１ｂ内に第２マグネットＭ２を固定するため、第２の実施形態において、ケース前壁７１の厚さは、第１の実施形態の場合より厚くし得る。
【０１４４】
バイブレータ１Ａを使用する際には、図２５に示したように、まず、ストッパ部１３２ｂと第２ベース板１３４ａの前端とのロック状態を解除し、第１開口１３２ａ及び第２開口１３５ａに歯ブラシ２の柄２ａを通す。
【０１４５】
次に、図２６に示したように、第１挟持部１３３及び第２挟持部１３４間を狭める。このように、第１挟持部１３３及び第２挟持部１３４間を狭めることで、第１凸部１３３ｂ及び第２凸部１３４ｂが柄２ａに当接し、第１挟持部１３３及び第２挟持部１３４で柄２ａが挟持される。第１凸部１３３ｂ及び第２凸部１３４ｂがゴムなどの弾性部材で構成されている場合、柄２ａの形状に合わせて第１凸部１３３ｂ及び第２凸部１３４ｂの先端が変形するため、第１挟持部１３３及び第２挟持部１３４で柄２ａが確実に挟持されやすい。
【０１４６】
上記第１挟持部１３３及び第２挟持部１３４で柄２ａを挟持した状態における、第１挟持部１３３及び第２挟持部１３４の間隔に対応したストッパ部１３２ｂで第２ベース板１３４ａの前端をロックする。これにより、第１挟持部１３３及び第２挟持部１３４による柄２ａの挟持状態を維持する。すなわち、振動印加部５で歯ブラシ２を保持する。
【０１４７】
その後、振動印加部５を、第１マグネットＭ１と第２マグネットＭ２の磁力を利用してグリップ部６に取り付ける。これにより、歯ブラシ２を電動歯ブラシとして使用できるので、第１の実施形態と同様にして、ユーザは、電動歯ブラシとして機能する歯ブラシ２で歯を磨ける。
【０１４８】
第２の実施形態で説明したバイブレータ１Ａにおいても、振動印加部５がグリップ部６に着脱自在に取り付けられる。そのため、バイブレータ１Ａは、バイブレータ１と少なくとも同様の作用効果を有する。
【０１４９】
バイブレータ１Ａが有する振動印加部５では、端板１３２の端部であり第２ベース板１３４ａ側の上記端部に複数のストッパ部１３２ｂが形成されている。そのため、第２ベース板１３４ａの前端を異なるストッパ部１３２ｂでロックすることにより、一つの振動印加部５によって、大きさの異なる複数の歯ブラシ２を振動印加部５で保持可能である。すなわち、バイブレータ１Ａは、大きさの異なる複数の歯ブラシ２に対する汎用性を有する。
【０１５０】
振動印加部５において、第１マグネットＭ１は、フレーム部１４２，１５２の後壁１４２ａ，１５２ａに設けられたマグネット収容部１６１，１６２内に固定されている。そのため、振動印加部５をグリップ部６に取り付けた際、図２１に示したように、振動印加部５とグリップ部６とは、２つの第１マグネットＭ１の位置で接触している。すなわち、振動印加部５とグリップ部６とは、実質的に２点で接触する。このように、振動印加部５とグリップ部６とが実質的に点接触している形態では、振動印加部５がグリップ部６に対して揺動しやすい。換言すれば、振動印加部５の振動がグリップ部６で阻害されにくい。その結果、振動印加部５の振動を、高い強度で且つ効率的に歯ブラシ２に伝達可能である。
【０１５１】
図２１に示したように、球状の第２マグネットＭ２を使用した形態では、第１マグネットＭ１と第２マグネットＭ２との接触面積を小さくでき、この点でも、振動印加部５とグリップ部６との点接触を実現できている。よって、前述したように、振動印加部５の振動を、高い強度で且つ効率的に歯ブラシ２に伝達可能である。
【０１５２】
以上、本発明の実施形態について説明したが、本発明はこれらの例示に限定されるものではなく、特許請求の範囲によって示され、特許請求の範囲と均等の意味及び範囲内でのすべての変更が含まれることが意図される。
【０１５３】
（変形例１）
図２７を利用して変形例１としてバイブレータ１に対する変形例としてバイブレータ（歯ブラシ用バイブレータ）１Ｂを説明する。図２７は、振動印加部３がグリップ部４に取り付けられた際のバイブレータ１Ｂのブロック図であり、電気的な接続関係を中心にして図示している。
【０１５４】
図２７に示したように、バイブレータ１Ｂは、グリップ部４が、振動検知部１７１を有する点でバイブレータ１と相違する。この相違点以外のバイブレータ１Ｂの構成は、バイブレータ１と同様であるため、相違点を説明する。
【０１５５】
振動検知部１７１は、バイブレータ１Ｂを使用する際（歯磨きの際）のバイブレータ１Ｂ（より具体的には、グリップ部４）の振動状態を検出する。振動検知部１７１は、例えば検証実験１〜４で使用したような振動センサーである。振動検知部１７１は、例えばケース７０の内壁に固定されていればよい。
【０１５６】
振動検知部１７１は、電力供給部２０が有する振動制御部２３に電気的に接続されており、検知結果を振動制御部２３に送信する。振動制御部２３は、振動検知部１７１からの検知結果に応じて振動部１０Ａ，１０Ｂの振動状態を制御する。変形例１でも、振動制御部２３は、振動部１０Ａ及び振動部１０Ｂのそれぞれを個別に制御してもよい。
【０１５７】
上記構成のバイブレータ１Ｂでは、振動印加部３の振動状態をフィードバック制御可能である。そのため、例えば、低振動状態、中振動状態、高振動状態などのような所望の振動状態をより確実に維持することができる。
【０１５８】
また、例えば、回路基板９０上にメモリを搭載し、メモリ内にユーザの好みの振動状態を登録しておけば、その振動状態に合わせたフィードバック制御も可能である。この場合は、バイブレータ１Ｂは、メモリへの登録機構などを有すればよい。
【０１５９】
変形例１では、振動検知部１７１をグリップ部４に内蔵している例を説明したが、振動検知部１７１は、振動印加部３の内部に固定されてもよい。いずれの構成においても、歯ブラシ２を歯に当てても（振動を制止するような負荷の変動があっても）、所定範囲内の振動状態を維持しながら歯を磨くことが可能である。振動検知部１７１が振動印加部３に内蔵されている形態では、振動検知部１７１がその検知結果を振動制御部２３に有線又は無線で送信可能に構成されていればよい。
【０１６０】
（変形例２）
図２８を利用して、バイブレータ１に対する変形例２としてバイブレータ１Ｃを説明する。図２８は、振動印加部３がグリップ部４に取り付けられた際のバイブレータ１Ｃのブロック図であり、電気的な接続関係を中心にして図示している。
【０１６１】
図２８に示したように、バイブレータ１Ｃは、グリップ部４に姿勢検知部１７２を有する点で、バイブレータ１と相違する。この相違点以外のバイブレータ１Ｃの構成は、バイブレータ１と同様であるため、相違点について説明する。
【０１６２】
姿勢検知部１７２は、グリップ部４の姿勢を検知する。姿勢検知部１７２は、電力供給部２０が有する振動制御部２３に電気的に接続されており、検知結果を振動制御部２３に送信する。姿勢検知部１７２は、例えば、ジャイロセンサである。姿勢検知部１７２は、ケース７０の内壁に固定されていればよい。
【０１６３】
図２８に示したように、グリップ部４が姿勢検知部１７２を有する形態では、振動制御部２３は、姿勢検知部１７２からの検知結果を受け付けると、検知結果に対応したグリップ部４の姿勢に応じて、振動状態を制御する。変形例２でも、振動制御部２３は、振動部１０Ａ及び振動部１０Ｂのそれぞれを個別に制御してもよい。
【０１６４】
歯ブラシ２は、バイブレータ１Ｃに保持されているので、グリップ部４の姿勢と歯ブラシ２の姿勢とは対応する。よって、グリップ部４の姿勢の検知は、歯ブラシ２の姿勢の検知に対応する。
【０１６５】
ユーザは、歯磨きの時に、歯を磨く箇所に応じて歯ブラシ２の姿勢を変化させ、毛束２ｂを所望の位置にあてがう。そのため、例えば、歯肉など柔らかい部分に毛束２ｂが接触するような場合は、歯肉を傷つけないような低い振動状態で振動部１０Ａ，１０Ｂの振動を制御し、歯のエナメル質のように硬い部分を磨くときは、高い振動状態に制御するなど、バイブレータ１Ｃの構成では、毛束２ｂをあてがう箇所に応じて歯ブラシ２に伝達する振動状態を制御可能である。
【０１６６】
上記変形例１，２は、互いに組み合わされてもよい。更に、変形例１，２は、バイブレータ１Ａにも適用可能である。すなわち、バイブレータ１Ａが振動検知部１７１及び姿勢検知部１７２の少なくとも一方を更に備えてもよい。
【０１６７】
歯ブラシ用バイブレータは、振動印加部及びグリップ部が着脱自在に構成されていれば、それらの着脱方法は、マグネットの磁力を利用した形態に限定されない。また、振動部１０Ａ，１０Ｂとして振動モータである偏心分銅付きモータを例示したが、振動を生成可能な機構を有していればよい。
【０１６８】
更に、グリップ部は、グリップ部の内側で歯ブラシの柄の後側を固定可能に構成されてもよい。このように、歯ブラシの柄の後側が固定されることで、歯ブラシ２の毛束２ｂ側（前側）が振動しやすい。
【０１６９】
電力供給部又は電力供給部が有する振動制御部は、例えば振動印加部に内蔵されていてもよい。
【符号の説明】
【０１７０】
１，１Ａ，１Ｂ，１Ｃ…バイブレータ（歯ブラシ用バイブレータ）、２…歯ブラシ、５…振動印加部、４，６…グリップ部、１０Ａ，１０Ｂ…振動部、２０…電力供給部、４２…ケース後壁（振動印加部のグリップ部側端部）、７１…ケース前壁（グリップ部の振動印加部側端部）、１７１…振動検知部、１７２…姿勢検知部、Ｍ１…第１マグネット、Ｍ２…第２マグネット、Ｔ１ａ，Ｔ１ｂ…接点端子（第１端子部）、Ｔ２ａ，Ｔ２ｂ…接点端子（第２端子部）。
【図１】
2017208457.tif 000003
【図２】
2017208457.tif 000004
【図３】
2017208457.tif 000005
【図４】
2017208457.tif 000006
【図５】
2017208457.tif 000007
【図６】
2017208457.tif 000008
【図７】
2017208457.tif 000009
【図８】
2017208457.tif 000010
【図９】
2017208457.tif 000011
【図１０】
2017208457.tif 000012
【図１１】
2017208457.tif 000013
【図１２】
2017208457.tif 000014
【図１３】
2017208457.tif 000015
【図１４】
2017208457.tif 000016
【図１５】
2017208457.tif 000017
【図１６】
2017208457.tif 000018
【図１７】
2017208457.tif 000019
【図１８】
2017208457.tif 000020
【図１９】
2017208457.tif 000021
【図２０】
2017208457.tif 000022
【図２１】
2017208457.tif 000023
【図２２】
2017208457.tif 000024
【図２３】
2017208457.tif 000025
【図２４】
2017208457.tif 000026
【図２５】
2017208457.tif 000027
【図２６】
2017208457.tif 000028
【図２７】
2017208457.tif 000029
【図２８】
2017208457.tif 000030
【手続補正書】
【提出日】平成28年10月18日(2016.10.18)
【手続補正１】
【補正対象書類名】特許請求の範囲
【補正対象項目名】全文
【補正方法】変更
【補正の内容】
【特許請求の範囲】
【請求項１】
歯ブラシを通し保持するための中空柱状体のケースを有するとともに、前記歯ブラシに振動を印加する振動印加部と、
前記振動印加部に着脱自在に接続されるとともに、ユーザにより把持されるグリップ部と、
を備え、
前記グリップ部は、前記歯ブラシの柄のうち前記振動印加部から前記グリップ部側に突出している部分を収容する中空柱状体のケースを有し、
前記振動印加部は、前記振動印加部のグリップ部側端部に設けられる第１マグネットを有し、
前記グリップ部は、前記グリップ部の振動印加部側端部に設けられる第２マグネットを有し、
前記振動印加部と前記グリップ部は、前記第１マグネットと前記第２マグネットとの引き合う力により着脱自在に接続される、
歯ブラシ用バイブレータ。
【請求項２】
前記振動印加部と前記グリップ部とが接続された状態において、前記振動印加部と前記グリップ部は、点接触している、
請求項１に記載の歯ブラシ用バイブレータ。
【請求項３】
前記振動印加部は、前記歯ブラシに印加する振動を生成する振動部を有し、
前記グリップ部は、前記振動部に電力を供給する電力供給部を有し、
前記電力供給部は、前記グリップ部が前記振動印加部に接続された状態で前記振動部に電気的に接続される、
請求項１又は２に記載の歯ブラシ用バイブレータ。
【請求項４】
前記振動印加部のグリップ部側端部には、前記振動部に電気的に接続される第１端子部が設けられており、
前記グリップ部の振動印加部側端部には、前記電力供給部に電気的に接続される第２端子部が設けられており、
前記振動印加部と前記グリップ部とが接続された状態で、前記第１端子部と前記第２端子部が電気的に接触する、
請求項３に記載の歯ブラシ用バイブレータ。
【請求項５】
前記振動印加部及び前記グリップ部の何れか一方は、振動検知部を有し、
前記電力供給部は、前記振動検知部の検知結果に応じて、前記振動部の振動状態を制御する、
請求項３又は４に記載の歯ブラシ用バイブレータ。
【請求項６】
前記グリップ部は、姿勢検知部を有し、
前記電力供給部は、前記姿勢検知部の検知結果に応じて、前記振動部の振動状態を制御する、
請求項３〜５の何れか一項に記載の歯ブラシ用バイブレータ。
【請求項７】
前記振動部は、偏心分銅付きモータである、
請求項３〜６の何れか一項に記載の歯ブラシ用バイブレータ。
【国際調査報告】
2017208457.tif 000031
2017208457.tif 000032
2017208457.tif 000033
2017208457.tif 000034